(57)【要約】【課題】簡単な回路で実質消費電力ゼロのスタンバイ回路を提供する。【解決手段】電源回路を商用電源に接続するリレーと、リレーを駆動する電荷を蓄電可能なコンデンサと、電源回路から前記コンデンサへ第１充電電流を供給する第１充電路と、太陽電池と、太陽電池からコンデンサへ第２充電電流を供給する第２充電路と、コンデンサの電圧を昇圧してリレーに印加する昇圧回路と、赤外線リモコン信号を受信し、受信したリモコン信号から電源オン信号を検出したとき、昇圧回路を動作させる検出回路と、を備える。【選択図】  図１
2015089180.tif 000002
【特許請求の範囲】
【請求項１】
電源回路を商用電源に接続するリレーと、
前記リレーを駆動する電荷を蓄電可能なコンデンサと、
前記電源回路から前記コンデンサへ第１充電電流を供給する第１充電路と、
太陽電池と、
前記太陽電池から前記コンデンサへ第２充電電流を供給する第２充電路と、
前記コンデンサの電圧を昇圧してリレーに印加する昇圧回路と、
赤外線リモコン信号を受信し、受信したリモコン信号から電源オン信号を検出したとき、前記昇圧回路を動作させる検出回路と、
を備えたスタンバイ回路。
【請求項２】
前記昇圧回路は、スイッチドキャパシタ回路を有する請求項１に記載のスタンバイ回路。
【請求項３】
前記検出回路は、前記太陽電池から供給される電力で動作する請求項１または請求項２に記載のスタンバイ回路。
【発明の詳細な説明】
【技術分野】
【０００１】
この発明は、待機電力が実質ゼロのスタンバイ回路に関する。
【背景技術】
【０００２】
多くの家電製品などの電気機器は、利用者の直接的な手動によらず、赤外線リモコンやタイマで主電源をオン／オフをできるように、スタンバイ回路を備えている（例えば特許文献１参照）。スタンバイ回路は、電気機器本体に電力を供給する主電源とは別のスタンバイ回路用の電源回路を有し、主電源がオフしている間でもスタンバイ回路用の電力（スタンバイ電力）を消費する。
【先行技術文献】
【特許文献】
【０００３】
【特許文献１】特開２００１−２９８８６０号公報
【発明の概要】
【発明が解決しようとする課題】
【０００４】
赤外線リモコン信号を受信してデコードする回路は、ＩＣ化されており省電力化が図られているが、主電源をオンするためにはリレーを駆動しなければならず、リレーを駆動するための電力を供給しようとすれば、スタンバイ回路用の電源回路として、ある程度の電流容量を持った電源回路が必要であった。
【０００５】
また、赤外線リモコン信号受信用ＩＣ→小電力回路→・・→電源リレー駆動回路と、徐々に大きい電流の回路を起動するようにしてスタンバイ電力を小さくすることも考えられるが、回路構成が複雑になるという欠点がある。
【０００６】
この発明は、比較的簡単な回路で実質消費電力ゼロのスタンバイ回路を実現することを提供することを目的とする。
【課題を解決するための手段】
【０００７】
本発明は、電源回路を商用電源に接続するリレーと、リレーを駆動する電荷を蓄電可能なコンデンサと、電源回路から前記コンデンサへ第１充電電流を供給する第１充電路と、太陽電池と、太陽電池からコンデンサへ第２充電電流を供給する第２充電路と、コンデンサの電圧を昇圧してリレーに印加する昇圧回路と、赤外線リモコン信号を受信し、受信したリモコン信号から電源オン信号を検出したとき、前記昇圧回路を動作させる検出回路と、を備えたことを特徴とする。
【０００８】
昇圧回路は、スイッチドキャパシタ回路で構成してもよい。また、検出回路は、太陽電池から供給される電力で動作してもよい。
【０００９】
本発明では、電源回路でコンデンサを充電し、電源オフ中は太陽電池でその充電された電荷を維持する。これにより、電源オフ中の商用電源の消費電力は、実質的にゼロになる。太陽電池で充電する場合、コンデンサの端子間電圧をあまり高くできないが、昇圧回路を設けたことによりリレーの駆動コイルに対して十分な駆動パルスを印加することが可能になる。また、昇圧回路をスイッチドキャパシタ回路とすることにより、簡略で消費電力を少なくすることができる。
【発明の効果】
【００１０】
この発明によれば、実質的に待機電力ゼロのスタンバイ回路を実現することができる。
【図面の簡単な説明】
【００１１】
【図１】この発明の実施形態であるスタンバイ回路を備えた電気機器のブロック図
【図２】スタンバイ回路の昇圧回路の回路図
【発明を実施するための形態】
【００１２】
図１はこの発明の実施形態であるスタンバイ回路を備えた電気機器のブロック図である。スタンバイ回路１０は、主電源回路２１をオンする電源リレー１７に接続されており、この電源リレー１７を駆動する。電源リレー１７は、主電源回路２１と商用電源２３との間に挿入されており、オンすることにより。商用電源２３（１００Ｖ交流）を主電源回路２３に接続する。主電源回路２１は、商用電源２３を整流し、且つ、適当な電圧（例えば１２Ｖ）に変換して負荷回路３０に供給する。負荷回路３０は、例えばオーディオ回路や映像回路などである。
【００１３】
電源リレー１７には、駆動電流（駆動パルス）によってオンすると駆動電流が途絶えてそのオン状態を維持するラッチリレーが用いられる。駆動パルスは、２０ｍＡ×１０ｍＳ（＝０．２ミリクーロン）以上である必要がある。
【００１４】
スタンバイ回路１０は、主コンデンサ１２、太陽電池１１、ダイオード１３，１４、コマンド検出回路１５、昇圧回路１６を有している。主コンデンサ１２は、上述の駆動パルスを発生させるために必要な電荷を蓄電可能な静電容量を有している。主コンデンサ１２が５Ｖで充電される場合、理論的には２０μＦあればよいが、昇圧回路１６の動作電流およびロスを考慮して２００μＦ程度以上のものを用いればよい。コンデンサの種類は、ケミカルコンデンサが好適である。
【００１５】
主コンデンサ１２のマイナス（−）側は接地され、プラス（＋）側には、ダイオード３１、１４が接続されている。ダイオード１３は太陽電池１１に接続され、ダイオード１４は主電源回路２１に接続されている。主電源回路２１は、オンしているとき、５Ｖで主コンデンサ１２を充電する。これにより、主コンデンサ１２には１ミリクーロンの電荷が蓄電される。
【００１６】
太陽電池１１は、複数のセルが直列、並列に接続されたモジュールであり、屋内での通常の光量で５Ｖ、１０ｍＡ程度の出力が得られるものを用いる。一般的には名刺程度の受光面積のモジュールで実現可能である。また、太陽電池１１を高効率なものとし、若しくは赤外線リモコンが送信する赤外線信号を高出力として、コマンド検出回路１５を赤外線リモコン信号のみで起動できるようにしてもよい。太陽電池１１は、ダイオード１３を介して主コンデンサ１２に接続されている。主コンデンサ１２は、主電源回路２１がオンしているときは、主電源回路２１によって充電される。主電源回路２１がオフしているときは、主電源回路２１のオン時に蓄えられた電荷が維持されるように、太陽電池１１によって補助的に充電される。このように、主電源回路２１によって主コンデンサ１２を充電しておくことにより、電源オフ時は太陽電池１１のわずかな電力でも充電状態を維持することが可能になる。
【００１７】
太陽電池１１は、コマンド検出回路１５にも接続されている。コマンド検出回路１５は、赤外線リモコン受光用のデコーダＩＣであり、赤外線信号受光用のフォトダイオード、および、赤外線信号のデコーダを内蔵している。コマンド検出回路１５は、赤外線信号として送られてきた電源オンコマンドを検出すると、昇圧回路１６に起動トリガを出力する。コマンド検出回路（ＩＣ）１５は、５Ｖ、０．５ｍＡ程度の電力で動作する。したがって、太陽電池１１の通常時の出力で駆動可能である。
【００１８】
また、太陽電池１１をリモコンの赤外線信号で起電するような高感度、高効率のものにすれば、赤外線信号として送られてきた電源オンコマンドを受光用フォトダイオードで受信しつつ、太陽電池１１で受けて、コマンド検出回路１５の駆動に用いることができる。リモコン信号はコマンド部分が繰り返し送信されるため、最初のコマンドを起電力に使用し、繰り返し部分でコマンドを解釈するように動作すれば可能となる。このように構成すれば、暗所で操作した場合でもコマンド検出回路１５の電源を確保することが可能となる。
【００１９】
図２は、昇圧回路１６の主要部の回路図である。この回路は、スイッチドキャパシタ回路である。スイッチドキャパシタ回路は、複数のコンデンサ１６０の接続形態を、複数のスイッチ１６３、１６４で並列接続と直列接続に切り換えられるようにした回路である。並列接続にして給電側のスイッチ１６１を閉じ、各コンデンサ１６０を充電する（図２（Ａ）参照）。その後、直列接続にして放電側のスイッチ１６２を閉じ、各コンデンサ１６０を直列に接続した電圧を電源リレーに印加する（図２（Ｂ）参照）。
【００２０】
図２のようにコンデンサ１６０の段数が４の場合、主コンデンサ１２が５Ｖで充電されており、この電圧で各コンデンサ１６０が充電されるとすると、図２（Ｂ）の接続形態で電源リレー１７に印加される電圧は、約２０Ｖである。コンデンサ１６０の段数は４に限るものではなく、主コンデンサ１２の充電電圧、電源リレー１７のオン側駆動コイルのインピーダンスなどに基づいて、コンデンサ１６０の段数および静電容量を決定すればよい。スイッチ１６１，１６２，１６３，１６４は、電界効果トランジスタを用いた半導体スイッチである。電界効果トランジスタは駆動時に殆ど電流が流れないため、消費電力を抑制することができる。
【００２１】
昇圧回路１６は、非動作時はスイッチ１６１，１６２がともに開いている。コマンド検出回路１５から起動トリガが入力されると、まず図２（Ａ）に示す並列接続となるようにスイッチ１６３，１６４を切り換えたのち、スイッチ１６１を閉じてコンデンサ１６０を主コンデンサ１２の電荷で充電する。コンデンサ１６０が主コンデンサ１２と同じ電位まで充電されるのに十分な時間待機したのち、接続形態を図２（Ｂ）に示す直列接続に切り換えて、各コンデンサ１６０の電荷を電源リレー１７の駆動コイルに印加する。これにより、電源リレー１７がオンし、商用電源２３が主電源回路２１に供給される。
【００２２】
スイッチドキャパシタ回路は、ほぼコンデンサとスイッチのみで構成されるため、構造が簡略で回路内部での消費電力はわずかである。昇圧回路１６は、主コンデンサ１２に蓄えられた電荷で動作する。
【００２３】
主コンデンサ１２に蓄えられている電荷で、１回のみ昇圧回路１６を駆動し、電源リレーを駆動（オン）すればよい。
【００２４】
なお、主電源回路２１と商用電源２３との間には、電源リレー１７に加えて手動スイッチ２２も設けられている。手動スイッチ２２は、利用者が手動操作で主電源回路２１をオンするためのスイッチである。太陽電池１１が受光する光が弱く主コンデンサ１２が放電してしまった場合など、赤外線リモコン信号で電源リレー１７を駆動することができない場合に、手動スイッチ２２で主電源回路２１がオンされる。主電源回路２１がオンされれば、主コンデンサ１２はほぼ瞬時に充電される。
【符号の説明】
【００２５】
１０  スタンバイ回路
１２  主コンデンサ
１６  昇圧回路
１７  電源リレー
２１  主電源回路
【図１】
2015089180.tif 000003
【図２】
2015089180.tif 000004